【手続補正書】
【提出日】平成27年5月11日(2015.5.11)
【手続補正１】
【補正対象書類名】特許請求の範囲
【補正対象項目名】全文
【補正方法】変更
【補正の内容】
【特許請求の範囲】
【請求項１】
容器本体と、貫通可能かつ密閉再封止可能な部分と、を含む容器であって、前記本体が、雰囲気に対し密封された、前記貫通可能かつ密閉再封止可能な部分と流体連通する空のチャンバを規定し、そのなかに物質を収容するようになっており、ベースと、中央部分と、上方部分と、を規定する略中空こま形状を有し、前記上方部分が、前記ベースに対し前記中央部分の反対側において前記ベースから軸方向に間隔をあけて設けられており、前記ベースおよび前記上方部分の各々が、前記中央部分の横方向に延びる最大寸法よりも大きな横方向に延びる寸法を規定する、容器を用意し、
物質源と流体連通する充填または注入部材によって前記貫通可能かつ密閉再封止可能な部分を貫通し、
前記充填または注入部材を通して前記物質を前記容器の前記チャンバのなかに導入し、
前記充填または注入部材を前記貫通可能かつ密閉再封止可能な部分から引き抜き、
前記充填または注入部材を引き抜くときに前記充填または注入部材とともに前記本体が上方向に動くことを実質的に防止し、
前記貫通可能かつ密閉再封止可能な部分を密閉再封止し、前記雰囲気と前記チャンバとの間に実質的な気密シールを形成する、
ことを含む、方法。
【請求項２】
前記充填または注入部材を引き抜くときに前記充填または注入部材とともに前記本体が上方向に動くことを実質的に防止することを前記容器本体の前記略中空こま形状を用いて行う、請求項１に記載の方法。
【請求項３】
前記容器の軸および前記充填または注入部材の軸の少なくとも一方を他方に対して鋭角に配向して、前記容器の軸に対して鋭角に配向された、前記貫通可能かつ再封止可能な部分を通る充填軸を規定することを更に含む、請求項１に記載の方法。
【請求項４】
前記注入部材を通して前記鋭角で前記物質を前記本体の側壁に沿って導入し、前記物質が前記チャンバに実質的に層状に流れ込むことを容易にすることを更に含む、請求項３に記載の方法。
【請求項５】
前記密閉再封止を行うことが、前記貫通可能かつ再封止可能な部分に放射またはエネルギーを投射することを含む、請求項１に記載の方法。
【請求項６】
前記放射またはエネルギーが、レーザ放射またはレーザエネルギーを含む、請求項５に記載の方法。
【請求項７】
前記密閉再封止を行うことが、前記貫通可能かつ再封止可能な部分をカバー部分で覆い、それによって前記実質的な気密シールを形成することを含む、請求項１に記載の方法。
【請求項８】
前記物質を前記空のチャンバのなかに導入する前に、前記空のチャンバを殺菌することを更に含む、請求項１に記載の方法。
【請求項９】
前記充填または注入部材を引き抜くときに前記充填または注入部材とともに前記本体が上方向に動くことを実質的に防止することが、前記容器本体の前記中央部分および前記ベースの少なくとも一方を係合させることを含む、請求項１に記載の方法。
【請求項１０】
前記充填または注入部材を引き抜くときに前記容器本体の前記上方部分を係合させて、前記本体が上方向に動くことを更に防止することを更に含む、請求項１に記載の方法。
【請求項１１】
前記係合させることが、前記容器本体の前記中央部分および前記ベースの少なくとも一方を容器支持体と係合させることを含む、請求項９または１０に記載の方法。
【請求項１２】
空のチャンバを規定する本体であって、前記空のチャンバが前記本体のなかで雰囲気に対し密封され、そのなかに物質を収容するようになっており、ベースと、中央部分と、上方部分と、を規定する略中空こま形状を有し、前記上方部分が、前記ベースに対し前記中央部分の反対側において前記ベースから軸方向に間隔をあけて設けられており、前記ベースおよび前記上方部分の各々が、前記中央部分の横方向に延びる最大寸法よりも大きな横方向に延びる寸法を規定し、前記中央部分が、前記ベースの軸方向の大きさよりも大きな軸方向の大きさを規定する、本体と、
前記チャンバと流体連通する貫通可能かつ密閉再封止可能な部分であって、充填または注入部材によって貫通可能であり、この部分を貫通する貫通穴を形成し、物質を前記チャンバのなかに導入するか、物質を前記チャンバから取り出すか、少なくともいずれかを行う、貫通可能かつ密閉再封止可能な部分と、
を備える容器。
【請求項１３】
前記貫通可能かつ密閉再封止可能な部分に放射またはエネルギーを投射し、前記雰囲気と前記チャンバとの間に実質的な気密シールを形成することによって、前記貫通可能かつ密閉再封止可能な部分を密閉再封止することが可能である、請求項１２に記載の容器。
【請求項１４】
前記放射またはエネルギーが、レーザ放射またはレーザエネルギーを含む、請求項１３に記載の容器。
【請求項１５】
密封された前記空のチャンバが、殺菌されている、請求項１２から１４のいずれかに記載の容器。
【請求項１６】
ベースと、中央部分と、上方部分と、を規定する略中空こま形状を有する本体であって、前記上方部分が、前記ベースに対し前記中央部分の反対側において前記ベースから軸方向に間隔をあけて設けられており、前記ベースおよび前記上方部分の各々が、前記中央部分の横方向に延びる最大寸法よりも大きな横方向に延びる寸法を規定し、前記中央部分が、前記ベースの軸方向の大きさよりも大きな軸方向の大きさを規定するとともに、更に、チャンバを規定し、そのなかに物質を収容する本体と、
前記チャンバのなかの物質と、
前記物質と化学反応を起こさない第１の材料を含むベース部分を含む再封止可能な部分であって、前記チャンバと流体連通する物質露出面を規定し、充填または注入部材によって形成された、この部分を貫通する貫通穴を有し、前記ベース部分を覆い、前記貫通穴を再封止する第２の材料を含む再封止部分を含む再封止可能な部分と、
を備える容器。
【請求項１７】
前記再封止部分にエネルギーまたは放射を送ると、この部分によって、（Ｉ）前記穴を密閉封止し前記物質を前記チャンバのなかに密閉封止するか、（ＩＩ）前記雰囲気と前記チャンバとの間に気密シールを形成するか、少なくともいずれかを行う、請求項１６に記載の容器。
【請求項１８】
前記放射またはエネルギーが、レーザ放射またはレーザエネルギーを含む、請求項１７に記載の容器。
【請求項１９】
前記第１の材料が、前記エネルギーまたは放射によって実質的に不可融である、請求項１７に記載の容器。
【請求項２０】
前記チャンバが、無菌状態である、請求項１７から１９のいずれかに記載の容器。
【請求項２１】
デバイスによって規定されたチャンバを封止するか、前記デバイスの前記チャンバのなかに物質を封止するか、少なくともいずれかを行う、再封止可能部材であって、
前記デバイスは、前記再封止可能部材を貫通する充填部材であって、それを通して前記デバイスの前記チャンバのなかに物質を導入する充填部材と、前記充填部材と流体連通する物質源であって、前記充填部材を通して前記物質を前記デバイスの前記チャンバのなかに導入する物質源と、前記再封止可能部材と関係可能なレーザ放射またはレーザエネルギー源であって、前記充填部材を貫通させることによって形成された貫通穴を再封止するレーザ放射またはレーザエネルギー源と、を含む充填アセンブリとともに用いることが可能であり、
１つの層および１つの材料の少なくともいずれかによって規定された本体であって、所定の壁厚を有し、前記充填部材によって貫通可能であり、前記レーザ放射またはレーザエネルギー源から所定の波長で前記本体にレーザ放射またはレーザエネルギーを投射することによって再封止可能であり、前記充填部材を貫通させることによって形成された穴を密閉封止し、前記所定の波長における前記レーザ放射またはレーザエネルギーを実質的に吸収し、前記レーザ放射またはレーザエネルギーが前記所定の壁厚を通過することを実質的に防止する所定の色および不透明度を規定し、所定の波長の前記レーザ放射またはレーザエネルギーによって前記穴を密閉封止させる本体を備える再封止可能部材。
【請求項２２】
（Ｉ）前記所定の波長が約９８０ｎｍであるか、（ＩＩ）前記所定の色がグレーであるか、（ＩＩＩ）前記所定の不透明度が、約０．３重量％〜約０．６重量％の範囲内のダークグレイ着色料添加物によって規定されるか、少なくともいずれかである、請求項２１に記載の再封止可能部材。
【請求項２３】
（Ｉ）前記充填部材が針であるか、（ＩＩ）前記物質が薬剤であるか、（ＩＩＩ）前記再封止可能部材がストッパを規定するか、少なくともいずれかである、請求項２１に記載の再封止可能部材。
【請求項２４】
前記材料が、熱可塑性材料を含む、請求項２１に記載の再封止可能部材。
【請求項２５】
チャンバを規定するデバイスおよび前記チャンバと流体連通する開口部との組み合わせにおいて、前記再封止可能部材が、前記開口部および前記チャンバを封止し、前記デバイスのなかに密封されたチャンバを規定する、請求項２１から２４のいずれかに記載の再封止可能部材。
【手続補正２】
【補正対象書類名】明細書
【補正対象項目名】発明の名称
【補正方法】変更
【補正の内容】
【発明の名称】充填方法および容器、再封止可能部材